(57)【要約】      （修正有）【課題】投入された廃棄物等から発生する悪臭を遮断して外部への漏洩を防止した防臭型台車付コンテナを提供する。【解決手段】台車フレーム１の底面板５の周縁部に直立する囲み板６の上面部を外側方にフラット状にして、帯状に延設する鍔状載置板部７を形成し、鍔状載置板部７の表面にパッキン材８を貼着せしめた防臭型台車Ａと、上方部を開口部１７とするパネル１５を四辺形状に組立てた容体１６の下方部に取着のボトムフレーム２１に脚部３０を取着した底板２５を開閉自在に取着し、容体１６の上方部に吊環１８を取着すると共に、ボトムフレーム２１より上方の容体１６に外側方に防臭型台車Ａの鍔状載置板部７に載置すると重合密閉するコンテナフレーム２０を突設せしめ、脚部３０の高さを台車Ａの囲み板６の高さよりも若干短く形成せしめた上蓋付コンテナＢを別設し、防臭型台車Ａに上蓋付コンテナＢを載置する。【選択図】図２
0003111525.tif 000002
【実用新案登録請求の範囲】
【請求項１】
上方部が開口状の台車フレームの底部にキャスターを取着し、且前記台車フレームの側面に押手を取着すると共に、前記台車フレームを構成する底面板の周縁部に直立する囲み板の上面部を外側方にフラット状にして、且帯状に延設する鍔状載置板部を形成し、前記鍔状載置板部の表面にパッキン材を貼着せしめた防臭型台車と、
上方部を開口部とするパネルを四辺形状に組立てた容体の下方開口部に脚部を取着したボトムフレームを開閉自在に取着し、容体の上方部に吊環を取着すると共に、前記ボトムフレームより上方の前記容体に外側方に前記防臭型台車の鍔状載置板部に載置すると重合密閉するコンテナフレームを突設せしめ、前記脚部の高さを前記台車の囲み板の高さよりも若干短く形成せしめた上蓋付コンテナを別設し、
前記防臭型台車に前記上蓋付コンテナを載置すると、前記台車の鍔状載置板部とコンテナのコンテナフレームとが密閉状態で重合し臭気の漏れを防止せしめることを特徴とする防臭型台車付コンテナ。
【請求項２】
前記防臭型台車の鍔状載置板部が、前記直立する囲み板の上面部に対し直角状に外側方に延設せしめると共に、前記コンテナのコンテナフレームが容体を構成するパネルに対し、直角状に外側方に延設せしめることを特徴とする請求項１記載の防臭型台車付コンテナ。
【請求項３】
前記防臭型台車の鍔状載置板部のパッキン材を、ゴム又は合成樹脂製のパッキン材とすることを特徴とする請求項１又は請求項２記載の防臭型台車付コンテナ。
【請求項４】
前記防臭型台車の囲み板に、前記コンテナより排出する水量を確認する窓孔を設けたことを特徴とする請求項１又は請求項２又は請求項３記載の防臭型台車付コンテナ。
【考案の詳細な説明】
【技術分野】
【０００１】
本考案は、廃棄物、汚泥、ペットボトル、し渣、沈砂、スカム等を収納した上蓋付コンテナを載せた台車から臭気が漏れないようにした防臭型台車付コンテナの分野に関するものである。
【背景技術】
【０００２】
従来コンテナ積載用台車として、特開平１０−３２４２４８公開特許公報が開示されている。
【０００３】
前記開示の公開特許公報のコンテナ積載用台車Ａは、ステンレス材で矩形環状に形成した受け枠１と、その受け枠１の相対峙する外側面に一体的に固着突設した車輪取付板２，２´と、その車輪取付板２、２´に垂下取付けた車輪３とで構成されている。
【０００４】
従って前記積載用台車Ａに、廃棄物等を収納する蓋付コンテナを載置しようとしても、前記台車Ａに底板がなく載置は到底不可能である。
【特許文献１】特開平１０−３２４２４８公開特許公報
【０００５】
さらに当業界においては、押手付台車に脚付コンテナを載置せしめ上蓋を取っては廃棄物等を投入し、載置するコンテナの底板より排出する水分を台車の底部に設けたドレンパンによって貯溜し、所定量になると水抜弁を介して排出していたが、前記コンテナのボトムフレームに配備の水切板の小孔等から臭気が漏れ出し、環境悪化を招来する等弊害が生じていた。
【０００６】
また当業界では、台車にコンテナより一回り大きくしかもコンテナ全体を収納可能に形成した容体を設け、この容体内に予めコンテナ自体を収納せしめ、前記容体に上蓋をして悪臭の漏れを防止せしめて使用していた。そのため価格も前記した台車付コンテナよりも約１．７倍もアップする等弊害があった。
【考案の開示】
【考案が解決しようとする課題】
【０００７】
従来開示の公開特許公報（特開平１０−３２４２４８）の台車付コンテナは、台車自体にコンテナ内の廃棄物等から排出される水分を貯めるタンクはなかった。
【０００８】
さらに前記公開特許公報の台車にコンテナを載置し、廃棄物等の投入作業を行ったとしても、廃棄物等の悪臭が漏れ出し防臭することができなかった。
【０００９】
また前記したとおり、業界（コンテナ）の台車付コンテナは、コンテナの底部より漏れ出す悪臭を未然に防止するものがなかった。
【００１０】
さらに前記したとおり業界では、コンテナの底部より漏れ出す悪臭を確実に防止する台車付コンテナは存在するが、コンテナ全体を収納し、隠蔽状態にして、廃棄物等を投入するときだけ上蓋を開け、作業終了後は再度上蓋を閉じるものであった。しかしかかる手法の台車付コンテナでは形態も大きく、製作費も著しく高くつくという弊害があった。
【００１１】
しかるに本考案の防臭型台車付コンテナは、台車にコンテナを載置し組立てると、台車の上方部とコンテナの底部との接触部分が密着状態となって、投入された廃棄物等から発生する悪臭を遮断して外部への漏洩を防止せしめた。
【００１２】
そのため本考案の防臭型台車付コンテナは、悪臭を未然に防止して悪臭を周囲にまき散らすことなく、廃棄物等の処理作業をする作業者を始め、周辺地域住民、通行人等にも迷惑がかからない、いわゆる環境美化運動に貢献できるようにした。
【００１３】
さらに本考案の防臭型台車付コンテナは、簡単な構造にして、しかもコンパクトに製作することもできる。そのため従来の台車付コンテナと大差なく製作できる。
【００１４】
また本考案の防臭型台車付コンテナの台車を構成する鍔状載置板部の表面には、ゴム製等のパッキン材を付着せしめて、台車とコンテナとの密着密閉の精度を著しく高めて、悪臭の漏洩防止を確実にした。
【００１５】
また本考案の防臭型台車付コンテナの台車に、コンテナより排出される水分の水位を確認して、漏水を未然に防止した。そのため安全にして、且スムーズに廃棄物等の処理作業ができるようにした。
【課題を解決するための手段】
【００１６】
請求項１記載の防臭型台車付コンテナは、上方部が開口状の台車フレーム１の底部にキャスター２を取着し、且前記台車フレーム１の側面に押手３を取着すると共に、前記台車フレーム１を構成する底面板５の周縁部に直立する囲み板６の上面部を外側方にフラット状にして、且帯状に延設する鍔状載置板部７を形成し、前記鍔状載置板部７の表面にパッキン材８を貼着せしめた防臭型台車Ａと、
上方部を開口部１７とするパネル１５を四辺形状に組立てた容体１６の下方部に取着のボトムフレーム２１に脚部３０を取着した底板２５を開閉自在に取着し、容体１６の上方部に吊環１８を取着すると共に、前記ボトムフレーム２１より上方の前記容体１６に外側方に前記防臭型台車Ａの鍔状載置板部７に載置すると重合密閉するコンテナフレーム２０を突設せしめ、前記脚部３０の高さを前記台車Ａの囲み板６の高さよりも若干短く形成せしめた上蓋付コンテナＢを別設し、
前記防臭型台車Ａに前記上蓋付コンテナＢを載置すると、前記台車Ａの鍔状載置板部７とコンテナＢのコンテナフレーム２０とがコンテナの重量で密閉状態で重合し臭気の漏れを防止せしめることを特徴とする防臭型台車付コンテナである。
【００１７】
請求項２記載の防臭型台車付コンテナは、前記防臭型台車Ａの鍔状載置板部７が、前記直立する囲み板６の上面部に対し直角状に外側方に延設せしめると共に、前記コンテナＢのコンテナフレーム２０が容体１６を構成するパネル１５に対し、直角状に外側方に延設せしめることを特徴とする請求項１記載の防臭型台車付コンテナである。
【００１８】
請求項３記載の防臭型台車付コンテナは、前記防臭型台車Ａの鍔状載置板部７のパッキン材８を、ゴム製又は合成樹脂製のパッキン材とすることを特徴とする請求項１又は請求項２記載の防臭型台車付コンテナである。
【００１９】
請求項４記載の防臭型台車付コンテナは、前記防臭型台車Ａの囲み板６に、前記コンテナＢより排出する水量を確認する窓孔９を設けたことを特徴とする請求項１又は請求項２又は請求項３記載の防臭型台車付コンテナである。
【考案の効果】
【００２０】
請求項１記載の考案の防臭型台車付コンテナは、上方部が開口状の台車フレームの底部にキャスターを取着し、且前記台車フレームの側面に押手を取着すると共に、前記台車フレームを構成する底面板の周縁部に直立する囲み板の上面部を外側方にフラット状にして、且帯状に延設する鍔状載置板部を形成し、前記鍔状載置板部の表面にゴム製パッキン材を貼着せしめた防臭型台車と、
上方部を開口部とするパネルを四辺形状に組立てた容体の下方開口部に脚部を取着したボトムフレームを開閉自在に取着し、容体の上方部に吊環を取着すると共に、前記ボトムフレームより上方の前記容体に外側方に前記防臭型台車の鍔状載置板部に載置すると重合密閉するコンテナフレームを突設せしめ、前記脚部の高さを前記台車の囲み板の高さよりも若干短く形成せしめた上蓋付コンテナを別設し、
前記防臭型台車に前記上蓋付コンテナを載置すると、前記台車の鍔状載置板部とコンテナのコンテナフレームとがコンテナの重量によって密閉状態で重合し臭気の漏れを防止せしめる防臭型台車付コンテナなので、台車の鍔状載置板部とコンテナフレームとが重合密着して廃棄物等から出る悪臭を漏洩させることなく確実に防止せしめた。
【００２１】
さらに本考案のコンテナは、悪臭の漏洩を防止したことによって、作業者らは快適に作業を進めることができるし、周辺住民及び通行人らに不快感を与えない利点を有している。
【００２２】
また本考案のコンテナは、台車の鍔状載置部の表面に弾力性を有するゴム又は合成樹脂製のパッキン材を設けたので、鍔状載置板部とコンテナフレームとの密着度をより著しく高め悪臭の漏洩を確実に防止した。
【００２３】
請求項２記載の考案の防臭型台車付コンテナは、前記防臭型台車の鍔状載置板部が、前記直立する囲み板の上面部に対し直角状に外側方に延設せしめると共に、前記コンテナのコンテナフレームが容体を構成するパネルに対し、直角状に外側方に延設せしめる防臭型台車付コンテナなので、請求項１記載の考案と同じ効果を有している。
【００２４】
請求項３記載の考案の防臭型台車付コンテナは、前記防臭型台車の鍔状載置板部のパッキン材を、ゴム製又は合成樹脂製のパッキン材とする防臭型台車付コンテナなので、請求項１記載の考案と同じ効果を有している。
【００２５】
請求項４記載の考案の防臭型台車付コンテナは、前記防臭型台車の囲み板に、前記コンテナより排出する水量を確認する窓孔を設けた防臭型台車付コンテナなので、コンテナより排出された汚水水量の水位を確実に見ることができる。そのため排水作業の時期をより一層確実にすると共に、コンテナ外側周辺への前記汚水の漏洩を未然にチェックできる。
【考案を実施するための最良の形態】
【００２６】
請求項１〜４に係る本考案の防臭型台車付コンテナは、建設現場等に発生する汚泥や河川等に放置されたゴミ類、ペットボトル、し渣、沈砂、スカム等をコンテナに投入しても、外部に悪臭を漏洩させないようにしたものである。
【００２７】
以下、本考案を実施するための最良の形態を図面に依拠して説明する。
【００２８】
図面においてＡは本考案を構成する台車、Ｂは前記台車Ａに載置コンテナである。
【００２９】
前記台車Ａは、構成部材として台車フレーム１、キャスター２、押手３及び底部に設けたドレンパン４等からなる。つぎにこれら各構成部材の実施の形態を説明する。
【００３０】
前記台車フレーム１は４辺形状の底面板５の周縁部に所定の高さ例えばコンテナＢを構成する脚部３０の高さよりも若干（約３〜５ｍｍ）高めの囲み板６を直立状もしくは直角状に折曲せしめる。前記囲み板６の上方部は開口状が形成される。５ａは底面板５に付設のガセットである。
【００３１】
前記囲み板６の上面部を外側方にフラット状にして、且帯状に鍔状載置板部７を延設する。前記鍔状載置板部７は接続状態である。前記載置板部７の幅員は約５ｃｍとする。
【００３２】
さらに前記鍔状載置板部７の表面には、ゴム製パッキン材８を貼着する。またパッキン材８の厚みは約３〜５ｍｍ程度とする。またパッキン材８は合成樹脂製でもよい。
【００３３】
前記囲み板６の中、側面部の囲み板６に窓孔９を設ける。この窓孔９は、本考案の台車Ａに載置せしめるコンテナＢに投入された廃棄物から排出する水分の貯溜具合を確認するものである。
【００３４】
従って前記窓孔９より水分が漏洩しないように囲み板６の内側よりｔ４−９０×２４０の透明ＰＶＣを貼付後、その外周をコーキング加工をする。
【００３５】
前記台車フレーム１の底部中、隅部にブラケット１１付キャスター２を取着する。
【００３６】
さらに前記台車フレーム１の中、後方部のフレーム１に押手３を設ける。
【００３７】
前記台車フレーム１の底部に水抜き弁１４付ドレンパン４を取着し、コンテナＢの底部より排出する水分を貯溜及び排出する。
【００３８】
従って前記台車フレーム１とドレンパン４に水分が貯溜し、貯溜量を前記窓孔９を介して作業者らが確認し、前記水抜き弁１４を介して適宜水抜き処理をする。
【００３９】
以上が本考案の要部の台車Ａの実施の形態である。
【００４０】
つぎに本考案の要部である前記台車Ａに載置するコンテナＢの実施の形態は以下のとおりである。
【００４１】
１６は前記コンテナＢを構成するパネル１５を平面よりみて四辺形状にして、且所定の高さを有する容体である。前記容体１６の上方は開口部１７を有し、上蓋Ｃをもって開閉する。１８は前記容体１６の開口部１７に取着の枠部１９に取付けた吊環である。通常４個取着する。
【００４２】
２０は前記容体１６の下方に容体１６を構成するパネル１５に対し直角状に容体１６の外側方に帯状にして、且フラット状に延設するコンテナフレームである。
【００４３】
さらに前記コンテナフレーム２０は、前記台車Ａに載置すると鍔状載置板部７と重合し密着状態となるように幅員を前記鍔状載置部７の幅員と同程度とする。
【００４４】
前記容体１６の下方部は上方の開口部１７と同じく開口状となっている。
【００４５】
２１は前記コンテナフレーム２０より下方部にして、且前記容体１６の下方開口部を開閉するボトムフレームである。前記フレーム２１は、一端部を前記コンテナフレーム２０の下方部に取着するヒンジ付スプリング２２に接続する。さらに前記フレーム２１の他端部は、ロック部２６の係止部２７によって係止されている。前記ロック部２６は、前記パネル１５の外側面部１５ａに取着されている。
【００４６】
さらに前記ロック部２６の上方部は、ロックハンドル２８の端部と接続するハンドル２８の回動に比例して回転する操作杆２９と接続する。さらに前記容体１６の下方開口部を遮蔽の両開きもしくは片開きをするボトムフレーム２１の上方に、小孔２３付き水切り板２４を付設する。
【００４７】
前記ボトムフレーム２１は、前記ロックハンドル２８を傾斜させると、ハンドル２８と接続中の操作杆２９が回動し、操作杆２９の回動に比例してロック部２６の係止部２７が引掛りを解除して開放される機構となっている。
【００４８】
３０は前記ボトムフレーム２１に上方部を取着する脚部である。この脚部３０の高さは、前記台車Ａの囲み板６の高さより若干（約２〜３ｍｍ）短く形成する。脚部３０を若干短く形成する理由は、コンテナＢに投入された廃棄物等の重量とコンテナＢの重量によってコンテナＢ全体が若干降下することを予想し、重合している鍔状載置板部７とコンテナフレーム２０の密閉性を高めるためである。
【００４９】
前記防臭型台車Ａ内に前記コンテナＢを載置すると、前記台車Ａの底面板５に取着の複数のガセット５ａに複数の脚部３０が嵌り込まれる。
【００５０】
そのとき前記台車Ａの鍔状載置部７と前記コンテナＢのコンテナフレーム２０が、前記コンテナＢの自重で重合しより確実に密閉し臭気漏れが防止できる。
【００５１】
上記のように前記台車Ａと前記コンテナＢとが重合密着したら上蓋ＣをコンテナＢの容体１６の開口部１７に被せたり、作業時には前記上蓋Ｃを取り外し、前記容体１６内に所定の廃棄物、汚泥、ペットボトル、し渣、沈砂、スカム等を収納する。作業終了後は前記上蓋Ｃを前記開口部１７に被せる。
【００５２】
さらに容体１６に収納された前記廃棄物等の臭気は外部に漏れたりしない。
【００５３】
また前記廃棄物等から排出された水分は前記したとおり窓孔９より覗くことによって水分の量が判る。そして水分が所定の水量に達したら水抜き弁１４を介して排水する。終了後は前記水抜き弁１４を閉じる。
【００５４】
Ｄは従来の台車、Ｅは従来のコンテナである。
【００５５】
図１１、１２に図示する台車Ｄ付コンテナＥは、台車Ｄに直接コンテナＥを載せたものである。
【００５６】
図１３、１４の台車付コンテナは、台車ＤにコンテナＥを収納し臭気が漏れないようにする容体Ｆの中にコンテナＥを収納し使用するタイプである。
【図面の簡単な説明】
【００５７】
【図１】本考案防臭型台車付コンテナの中、台車の正面図である。
【００５８】
【図２】同台車にコンテナを載せた状態の正面図である。
【００５９】
【図３】同右側面図である。
【００６０】
【図４】同台車にコンテナを載置前の状態を示す右側面図である。
【００６１】
【図５】同図４の状態から台車にコンテナが載置された状態の右側面図である。
【００６２】
【図６】同図５の状態から蓋体を被せた状態の右側面図である。
【００６３】
【図７】同コンテナの平面図である。
【００６４】
【図８】同コンテナを吊上げ、底板を展開している状態を示すコンテナの一部切欠正面図である。
【００６５】
【図９】同要部の一部切欠拡大正面図である。
【００６６】
【図１０】同台車の一部切欠拡大正面図である。
【００６７】
【図１１】従来タイプの台車付コンテナの正面図である。
【００６８】
【図１２】従来タイプの台車付コンテナの右側面図である。
【００６９】
【図１３】従来タイプの防臭型コンテナの正面図である。
【００７０】
【図１４】図１３の防臭型コンテナの右側面図である。
【符号の説明】
【００７１】
Ａ      台車
Ｂ      コンテナ
Ｃ      上蓋
Ｄ      台車
Ｅ      コンテナ
Ｆ      容体
１      台車フレーム
２      キャスター
３      押手
４      ドレンパン
５      底面板
５ａ    ガセット
６      囲み板
７      鍔状載置板部
８      パッキン材
９      窓孔
１１    ブラケット
１４    水抜き弁
１５    パネル
１５ａ  外側面部
１６    容体
１７    開口部
１８    吊環
１９    枠部
２０    コンテナフレーム
２１    ボトムフレーム
２２    ヒンジ付スプリング
２３    小孔
２４    水切り板
２６    ロック部
２７    係止部
２８    ロックハンドル
２９    操作杆
３０    脚部
【図１】
0003111525.tif 000003
【図２】
0003111525.tif 000004
【図３】
0003111525.tif 000005
【図４】
0003111525.tif 000006
【図５】
0003111525.tif 000007
【図６】
0003111525.tif 000008
【図７】
0003111525.tif 000009
【図８】
0003111525.tif 000010
【図９】
0003111525.tif 000011
【図１０】
0003111525.tif 000012
【図１１】
0003111525.tif 000013
【図１２】
0003111525.tif 000014
【図１３】
0003111525.tif 000015
【図１４】
0003111525.tif 000016